(57)【要約】【課題】複数ネットワークが相互接続する環境で、ネットワークの保守管理の効率化及び利便性の向上を図る。【解決手段】サブネットワーク管理部１２は、装置情報の中のサブネットワークの情報を収集して、装置サブネットワークとして管理する際に、管理対象とするネットワークの環境が、複数のネットワークが相互接続している場合、複数のネットワークにまたがる接続装置５０の装置サブネットワークＳＮ５０を、相互接続しているネットワークＮ１、Ｎ２に対応させて分割し、分割サブネットワークＳＮ５０−１、ＳＮ５０−２を作成して管理する。ユーザインタフェース部１３は、装置サブネットワークＳＮ５０または分割サブネットワークＳＮ５０−１、ＳＮ５０−２を表示制御する。【選択図】　　　　図１
2004048247.tif 000002
【特許請求の範囲】
【請求項１】
ネットワークの管理を行うネットワーク管理装置において、装置情報の中のサブネットワークの情報を収集して、装置サブネットワークとして管理する際に、管理対象とするネットワークの環境が、複数のネットワークが相互接続している場合、複数のネットワークにまたがる接続装置の装置サブネットワークを、相互接続しているネットワークに対応させて分割し、分割サブネットワークを作成して管理するサブネットワーク管理部と、
装置サブネットワークまたは分割サブネットワークの表示制御を行うユーザインタフェース部と、
を有することを特徴とするネットワーク管理装置。
【請求項２】
前記サブネットワーク管理部は、装置サブネットワークと分割サブネットワークとの対応関係を認識するための識別子を設けることを特徴とする請求項１記載のネットワーク管理装置。
【請求項３】
前記サブネットワーク管理部は、コネクション終端点を、該当する分割サブネットワークに登録し、トレイル終端点に対しては、トレイル終端点を使用しているネットワークを認識可能な識別子を付与した後に、分割した際のすべての分割サブネットワークにトレイル終端点を登録することを特徴とする請求項１記載のネットワーク管理装置。
【請求項４】
前記サブネットワーク管理部は、仮想的なリンクエンド及びリンクを作成して、分割サブネットワーク間を接続することを特徴とする請求項１記載のネットワーク管理装置。
【請求項５】
前記サブネットワーク管理部は、外部指示にもとづき、分割サブネットワークの分割を解除する場合は、分割サブネットワークに含まれていたコネクション終端点を装置サブネットワークに登録し、トレイル終端点は重複しないように装置サブネットワークに登録し、分割サブネットワークを接続するリンク及びリンクエンドを削除して、解除処理を行うことを特徴とする請求項１記載のネットワーク管理装置。
【発明の詳細な説明】
【０００１】
【発明の属する技術分野】
本発明はネットワーク管理装置に関し、特に、ネットワークの管理を行うネットワーク管理装置に関する。
【０００２】
【従来の技術】
近年、情報ネットワーク・サービスは、多種多様なものが求められ、これらのサービスを提供するための情報インフラストラクチャは、複雑化、巨大化している。このような状況の中で、ネットワーク管理技術の重要性は増しており、保守管理に対する機能性向上の要求が高まってきている。
【０００３】
図１８はネットワークシステムの構成を示す図である。ネットワークシステム２００は、ＡＤＭ（Ａｄｄ　Ｄｒｏｐ　Ｍｕｌｔｉｐｌｅｘ）２２１〜２２４、２３１〜２３４、ＥＭＳ（Ｅｌｅｍｅｎｔ　Ｍａｎａｇｅｍｅｎｔ　Ｓｙｓｔｅｍ）２２０、２３０、ＮＭＳ（Ｎｅｔｗｏｒｋ　Ｍａｎａｇｅｍｅｎｔ　Ｓｙｓｔｅｍ）２１０から構成される。
【０００４】
ＡＤＭ２２１〜２２４、２３１〜２３４は、ＷＤＭ（Ｗａｖｅｌｅｎｇｔｈ　Ｄｉｖｉｓｉｏｎ　Ｍｕｌｔｉｐｌｅｘｉｎｇ）技術を使って、ＳＯＮＥＴ／ＳＤＨ（ｓｙｎｃｈｒｏｎｏｕｓ　ｏｐｔｉｃａｌ　ｎｅｔｗｏｒｋ／ｓｙｎｃｈｒｏｎｏｕｓ　ｄｉｇｉｔａｌ　ｈｉｅｒａｒｃｈｙ）の信号を、任意の波長の信号数分取り出したり（Ｄｒｏｐ）、　挿入したり（Ａｄｄ）するネットワーク装置である。
【０００５】
ＥＭＳ２２０、２３０は、個々のＡＤＭを管理する装置管理システムである。ＮＭＳ２１０は、ＥＭＳ２２０、２３０を通じて、ネットワーク全体を統合的に管理するネットワーク管理システムである。
【０００６】
ここでは、ＡＤＭ２２１〜２２４は、リング状に接続してリングネットワークＲ２０を構成し、ＥＭＳ２２０は、ＡＤＭ２２１と接続して、リングネットワークＲ２０内のＡＤＭ２２１〜２２４それぞれの装置管理を行う。
【０００７】
また、ＡＤＭ２３１〜２３４は、リング状に接続してリングネットワークＲ３０を構成し、ＥＭＳ２３０は、ＡＤＭ２３１と接続して、リングネットワークＲ３０内のＡＤＭ２３１〜２３４それぞれの装置管理を行う。
【０００８】
ＮＭＳ２１０は、ＥＭＳ２２０、２３０と接続して、ネットワーク全体を管理する。具体的には、ＮＭＳ２１０は、リングネットワークＲ２０に登録するＡＤＭとして、ＡＤＭ２２１〜２２４それぞれのサブネットワークの情報を、ＥＭＳ２２０を通じて取得して管理する。
【０００９】
さらに、ＮＭＳ２１０は、リングネットワークＲ３０に登録するＡＤＭとして、ＡＤＭ２３１〜２３４それぞれのサブネットワークの情報を、ＥＭＳ２３０を通じて取得して管理する。なお、サブネットワークとは、装置が互いに独立して自己を管理するための管理領域の情報のことである。
【００１０】
【発明が解決しようとする課題】
上記のようなネットワークシステム２００に対して、ＡＤＭだけでリングが組まれたリングネットワークＲ２０、Ｒ３０は、互いに関連することなく、それぞれ独立して存在している。この場合、ＮＭＳ２１０は、リングネットワークＲ２０、Ｒ３０でそれぞれ閉じたＡＤＭ２２１〜２２４、２３１〜２３４のサブネットワークの情報を管理することになる。すなわち、ＮＭＳ２１０は、リングネットワーク毎に登録したＡＤＭのサブネットワークを管理すればよいので、管理制御に煩雑さはなく容易に行うことができる。
【００１１】
一方、近年の情報通信の高速・大容量化に伴い、ネットワークの複合化が著しくなってきており、リングネットワーク同士が互いに接続するシステム形態が増えてきている。図１９はネットワークシステムの構成を示す図である。ＡＤＭ１２１〜１２３とＸＣ（ｃｒｏｓｓ　ｃｏｎｎｅｃｔ：クロスコネクト装置）１３０は、リング状に接続してリングネットワークＲ２０ａを構成し、ＡＤＭ１２４〜１２６とＸＣ１３０は、リング状に接続してリングネットワークＲ２０ｂを構成する。
【００１２】
ＥＭＳ１２０は、ＡＤＭ１２１、１２４、ＸＣ１３０と接続して、リングネットワークＲ２０ａ、Ｒ２０ｂ内のＡＤＭ１２１〜１２３、１２４〜１２６、ＸＣ１３０の装置管理を行う。そして、ＮＭＳ１１０は、ＥＭＳ１２０と接続して、ネットワーク全体を管理する。
【００１３】
図１９に示すようなネットワークシステム１００では、リングネットワークＲ２０ａ、Ｒ２０ｂは、ＸＣ１３０を介して互いに接続している。このようなシステムの場合、ＮＭＳ１１０は、図１８と同様にして、リングネットワーク毎に各装置のサブネットワークを管理することができない。
【００１４】
なぜなら、ＴＭＮ（Ｔｅｌｅｃｏｍｍｕｎｉｃａｔｉｏｎ　Ｍａｎａｇｅｍｅｎｔ　Ｎｅｔｗｏｒｋ：複数ネットワークを相互接続した環境を管理するために標準化された規定）により、管理すべきサブネットワークは交わらないと定められているからである。したがって、ネットワークシステム１００の場合、ＸＣ１３０は、リングネットワークＲ２０ａ、Ｒ２０ｂの両方に属しているので、リングネットワークＲ２０ａ、Ｒ２０ｂの両方に登録した、ＸＣ１３０のサブネットワークで管理することはできなかった。
【００１５】
このように、複数ネットワークが相互接続した場合、１つのサブネットワークが複数ネットワークにまたがるようにして管理することはできない。したがって、ネットワークが相互接続するような環境における従来のネットワーク管理制御では、図１８のようなネットワーク毎に登録したサブネットワークの管理が行えないため、管理制御が煩雑となり、保守管理の効率及び利便性の低下を引き起こすといった問題があった。
【００１６】
本発明はこのような点に鑑みてなされたものであり、複数ネットワークの一部を構成する装置に対して、サブネットワークを分割してネットワーク管理を行うことで、保守管理の効率化及び利便性の向上を図ったネットワーク管理装置を提供することを目的とする。
【００１７】
【課題を解決するための手段】
本発明では上記課題を解決するために、図１に示すような、ネットワークの管理を行うネットワーク管理装置１０において、装置情報の中のサブネットワークの情報を収集して、装置サブネットワークとして管理する際に、管理対象とするネットワークの環境が、複数のネットワークが相互接続している場合、複数のネットワークにまたがる接続装置５０の装置サブネットワークを、相互接続しているネットワークに対応させて分割し、分割サブネットワークを作成して管理するサブネットワーク管理部１２と、装置サブネットワークまたは分割サブネットワークの表示制御を行うユーザインタフェース部１３と、を有することを特徴とするネットワーク管理装置１０が提供される。
【００１８】
ここで、サブネットワーク管理部１２は、装置情報の中のサブネットワークの情報を収集して、装置サブネットワークとして管理する際に、管理対象とするネットワークの環境が、複数のネットワークが相互接続している場合、複数のネットワークにまたがる接続装置５０の装置サブネットワークを、相互接続しているネットワークに対応させて分割し、分割サブネットワークを作成して管理する。ユーザインタフェース部１３は、装置サブネットワークまたは分割サブネットワークの表示制御を行う。
【００１９】
【発明の実施の形態】
以下、本発明の実施の形態を図面を参照して説明する。図１は本発明のネットワーク管理装置の原理図である。ネットワーク管理装置１０（以降、ＮＭＳ１０と呼ぶ）は、ＥＭＳ２０と通信を行って、ネットワーク全体を統合的に管理する装置である。
【００２０】
ＥＭＳ２０は、上述したように、ネットワークＮ０を構成する各ネットワーク装置（ＡＤＭなど）の装置情報を管理する管理装置であり、またＥＭＳ２０の上位にＮＭＳ１０が配置される。装置情報には、物理的な情報（例えば、各装置の何番のスロットには何の機能を持つパッケージが挿入されているかなどの情報）と、論理的な情報（例えば、各装置内のレイヤに対応したスイッチマトリックスなどの情報）があり、ＮＭＳ１０は、装置情報の中から、論理的な情報（この論理的な情報がサブネットワークに該当する）をＥＭＳ２０から取得して管理する。
【００２１】
通信制御部１１は、ＥＭＳ２０との通信インタフェース制御を行う。サブネットワーク管理部１２は、装置情報の中のサブネットワークの情報を収集して、装置サブネットワークとして管理する。サブネットワークは上述のように各ネットワーク装置のスイッチ能力を表現しており、ＥＭＳ２０は各ネットワーク装置からサブネットワークを収集し、ＮＭＳ１０はＥＭＳ２０からサブネットワークを収集する。そして特にＮＭＳ１０で管理されるサブネットワークを装置サブネットワークと呼ぶ。なお、以降では、装置サブネットワークをＥＭＳサブネットワークと記載する。
【００２２】
また、ＥＭＳサブネットワークを管理する場合、管理対象とするネットワークの環境が、複数のネットワークが相互接続している場合には、複数のネットワークにまたがる接続装置のＥＭＳサブネットワークを、相互接続しているネットワークに対応させて分割し、分割サブネットワークを作成して管理する。
【００２３】
例えば、図では接続装置（クロスコネクト装置（ＸＣ））５０は、ネットワークＮ１、Ｎ２にまたがっている。従来では、接続装置５０のサブネットワークをＥＭＳサブネットワークＳＮ５０として管理することはできないが、本発明ではＥＭＳサブネットワークＳＮ５０をネットワークＮ１、Ｎ２に対応させて２つに分割し、ネットワークＮ１側の分割サブネットワークＳＮ５０−１、ネットワークＮ２側の分割サブネットワークＳＮ５０−２を作成する。そして、接続装置５０のサブネットワークとして、分割サブネットワークＳＮ５０−１、ＳＮ５０−２で管理することになる。
【００２４】
なお、サブネットワーク管理部１２は、オペレータからの外部指示にもとづき、分割サブネットワークの分割を解除して、元のＥＭＳサブネットワークを作成することも可能である。
【００２５】
ユーザインタフェース部１３は、ＧＵＩ（Ｇｒａｐｈｉｃａｌ　Ｕｓｅｒ　Ｉｎｔｅｒｆａｃｅ）上で、オペレータとのユーザインタフェース処理を行い、コマンド入力処理や、装置サブネットワークまたは分割サブネットワークの表示制御（装置サブネットワーク、分割サブネットワークの作成過程の表示も含む）などを行う。パス設定部１４は、ＥＭＳサブネットワークまたは分割サブネットワーク上で、トレイル終端点（トレイル終端点については図７で後述する）の間でパスを設定する。
【００２６】
次に本発明のＮＭＳ１０の管理対象として、ネットワーク・コンフィギュレーションとして、現在広く用いられているリングネットワークが相互接続しているネットワーク環境を例にして以降詳しく説明する。
【００２７】
図２はネットワークシステムの構成を示す図である。ネットワークシステム１は、ＡＤＭ３１〜３３、４１〜４３、ＸＣ５０、ＥＭＳ２０、２０ａ、ＮＭＳ１０から構成される。
【００２８】
ＡＤＭ３１〜３３とＸＣ５０は、リング状に接続してリングネットワークＲ３を構成し、ＡＤＭ４１〜４３とＸＣ５０は、リング状に接続してリングネットワークＲ４を構成する。
【００２９】
ＥＭＳ２０は、ＡＤＭ３１、４１、ＸＣ５０と接続して、リングネットワークＲ３、Ｒ４内のＡＤＭ３１〜３３、４１〜４３、ＸＣ５０の装置管理を行う。また、ＡＤＭ４２とＡＤＭ６１が接続しており、ＥＭＳ２０ａは、ＡＤＭ６１（及びＡＤＭ６１と接続する、図示しない他のＡＤＭ）の装置管理を行う。ＮＭＳ１０は、ＥＭＳ２０、２０ａと接続して、ネットワーク全体を統合的に管理する。
【００３０】
次にサブネットワーク管理部１２における分割サブネットワークの作成処理について図３〜図５を用いて説明する。図３は装置の物理配置を示す図である。図３に示すネットワークは、図２で示したリングネットワークＲ３、Ｒ４を示している（構成の説明は上述したので省略）。
【００３１】
図４はＥＭＳサブネットワークを示す図である。図４は、図３に示したＡＤＭ３１〜３３、ＡＤＭ４１〜４３、ＸＣ５０に対して、同一レイヤの機能を１つのサブネットワークで示したものである。
【００３２】
例えば、同一レイヤの機能として、ＶＣ（Ｖｉｒｔｕａｌ　Ｃｏｎｔａｉｎｅｒ）３のスイッチ機能とした場合、図中のＥＭＳサブネットワークＳＮ３１〜ＳＮ３３、ＳＮ４１〜ＳＮ４３、ＳＮ５０は、ＡＤＭ３１〜３３、ＡＤＭ４１〜４３、ＸＣ５０がそれぞれ有するＶＣ３のスイッチ機能を表現することになる。
【００３３】
したがって、図４に示すＥＭＳサブネットワークと図３に示す各装置とは、１：１に対応しており、ＥＭＳサブネットワークＳＮ３１〜ＳＮ３３はＡＤＭ３１〜３３に対応し、ＥＭＳサブネットワークＳＮ４１〜ＳＮ４３はＡＤＭ４１〜４３に対応し、ＥＭＳサブネットワークＳＮ５０はＸＣ５０に対応する。
【００３４】
図５は分割サブネットワークを示す図である。図４に示したＥＭＳサブネットワークの中には、２つのリングネットワークＲ３、Ｒ４にまたがるＸＣ５０のサブネットワークであるＥＭＳサブネットワークＳＮ５０が存在するから、このままではネットワーク管理を行うことはできない。
【００３５】
したがって、図５に示すように、ＥＭＳサブネットワークＳＮ５０を２つに分割して、リングネットワークＲ３側の分割サブネットワークＳＮ５０−１と、ネットワークＲ４側の分割サブネットワークＳＮ５０−２とを作成する。
【００３６】
なお、ＮＭＳ１０のサブネットワーク管理部１２では、図４に示した分割前の状態のサブネットワークの情報（ＥＭＳサブネットワークだけの情報）と、図５に示した分割後のサブネットワークの情報（分割サブネットワークを含むＥＭＳサブネットワークの情報）との両方の情報を保持しておく。
【００３７】
次にサブネットワーク管理部１２において、分割サブネットワークを作成する際に必要な処理について説明する。上記のように、ＥＭＳサブネットワークＳＮ５０を分割して、分割サブネットワークＳＮ５０−１、ＳＮ５０−２を作成する場合には、分割前後のサブネットワークの対応関係が認識できるように、識別子を設けておく必要がある。
【００３８】
例えば、明細書中の符号をそのまま識別子として使えば、識別子ＳＮ５０を、分割前のＥＭＳサブネットワークに付与し、識別子ＳＮ５０−１、ＳＮ５０−２を、分割してできた分割サブネットワークに付与するようにすれば、分割サブネットワークが、どのＥＭＳサブネットワークを分割して作成されたものかが判断できる。
【００３９】
一方、サブネットワーク管理部１２は、分割サブネットワークの作成時には、コネクション終端点、トレイル終端点を登録し、さらに、仮想的なリンクエンド及びリンクを作成する。
【００４０】
図６はＸＣ５０の通信ポートを示す図である。ＸＣ５０は、物理ポートＰ３ａ〜Ｐ３ｄ、Ｐ４ａ〜Ｐ４ｄを有し、物理ポートＰ３ａ〜Ｐ３ｄそれぞれに、論理ポートＣｐ３ａ〜Ｃｐ３ｄが対応し、物理ポートＰ４ａ〜Ｐ４ｄそれぞれに、論理ポートＣｐ４ａ〜Ｃｐ４ｄが対応する。なお、１つの物理ポートに対して、複数の論理ポートが存在しており、この論理ポートのことをコネクション終端点と呼ぶ（コネクション終端点は、サブネットワーク情報の１つである）。
【００４１】
ＸＣ５０は、２Ｆ（ｆｉｂｅｒ）のリングネットワークＲ３と、２ＦのリングネットワークＲ４とにまたがっている。リングネットワークＲ３側の接続構成としては、光ファイバＦ３ａ〜Ｆ３ｄはそれぞれ、物理ポートＰ３ａ〜Ｐ３ｄと接続する。また、リングネットワークＲ４側の接続構成として、光ファイバＦ４ａ〜Ｆ４ｄはそれぞれ、物理ポートＰ４ａ〜Ｐ４ｄと接続する。
【００４２】
ここで、ＸＣ５０のＥＭＳサブネットワークＳＮ５０を分割した分割サブネットワークＳＮ５０−１、ＳＮ５０−２に対し、サブネットワーク管理部１２は、コネクション終端点を登録する際には、該当するいずれかの分割サブネットワークＳＮ５０−１、ＳＮ５０−２にコネクション終端点を振り分ける。
【００４３】
すなわち、この場合、コネクション終端点Ｃｐ３ａ〜Ｃｐ３ｄは、リングネットワークＲ３側のポイントであるため、分割サブネットワークＳＮ５０−１側へ登録し、コネクション終端点Ｃｐ４ａ〜Ｃｐ４ｄは、リングネットワークＲ４側のポイントであるため、分割サブネットワークＳＮ５０−２側へ登録することになる。
【００４４】
図７はトレイル終端点を示す図である。図６で示したＸＣ５０に対し（コネクション終端点の図示は省略）、トレイル終端点Ｔｐが示されている。ここで、トレイルとは、アクセスポイント間を結ぶ“パイプ”のことであり、トレイル終端点は、上位レイヤよりも低いレイヤのサービスを提供するポイントとなる（トレイル終端点はサブネットワーク情報の１つである）。
【００４５】
例えば、上位レイヤがＶＣ３であったならば、ＶＣ２またはＶＣ１とつながるポイントがトレイル終端点となる。また、具体的な例としては、信号のＤｒｏｐ点はトレイル終端点となる。
【００４６】
ここで、ＸＣ５０のトレイル終端点Ｔｐは、リングネットワークＲ３、Ｒ４の必ずどちらかに固定的に配置されるというポートではない。したがって、ＸＣ５０のＥＭＳサブネットワークＳＮ５０を分割した分割サブネットワークＳＮ５０−１、ＳＮ５０−２に対し、サブネットワーク管理部１２は、トレイル終端点を分割サブネットワークＳＮ５０−１、ＳＮ５０−２の両方に振り分ける。
【００４７】
すなわち、トレイル終端点Ｔｐは、リングネットワークＲ３側の分割サブネットワークＳＮ５０−１へ登録し、かつリングネットワークＲ４側の分割サブネットワークＳＮ５０−２へも登録することになる。
【００４８】
ただし、トレイル終端点Ｔｐが実際に使用されている場合には（このポイントから信号が実際にＤｒｏｐしている場合には）、リングネットワークＲ３、Ｒ４のいずれか一方で使用されていることになるので、サブネットワーク管理部１２は、どちらのリングネットワークで使用されているかが認識できる識別子を設けておく。このように、トレイル終端点Ｔｐに対しては、どちらのリングネットワークで使用されているかが認識できる識別子を付与して、分割した際のすべての分割サブネットワークに登録することになる。
【００４９】
図８は仮想的なリンクエンド及びリンクを示す図である。サブネットワーク管理部１２は、ＥＭＳサブネットワークＳＮ５０を分割して、分割サブネットワークＳＮ５０−１、ＳＮ５０−２を作成する際、図に示すように、仮想的なリンクエンドＬｅｎｄを作成し、かつリンクエンドＬｅｎｄ間に仮想的なリンクＬを作成する。これにより、分割サブネットワークＳＮ５０−１と分割サブネットワークＳＮ５０−２を接続して登録管理する。
【００５０】
図９は分割サブネットワークの構成を示す図である。分割サブネットワークＳＮ５０−１、５０−２は、リンクエンドＬｅｎｄを通じて、リンクＬで接続する。また、リンクＬ内にはコネクション終端点が存在し、コネクション終端点はリンクＬＣで結ばれる（リンクＬＣの集まりがリンクＬである）。さらに、分割サブネットワークＳＮ５０−１、ＳＮ５０−２内には、トレイル終端点Ｔｐが存在している。
【００５１】
なお、コネクション終端点及びリンクコネクションを作成する場合は、分割サブネットワークの作成時、または分割サブネットワークコネクション（サブネットワークコネクションとは、サブネットワーク内の接続を表現するコネクションのことである）の作成時のいずれかに行う。
【００５２】
次に分割サブネットワークの作成処理についてフローチャートを用いて説明する。図１０は分割サブネットワークの作成処理を示すフローチャートである。
〔Ｓ１〕ＮＭＳ１０の通信制御部１１は、ＥＭＳ２０と通信を行い、ＥＭＳ２０から各装置のサブネットワークを受信する。
〔Ｓ２〕サブネットワーク管理部１２は、取得したサブネットワークをＥＭＳサブネットワークとして登録する。
〔Ｓ３〕サブネットワーク管理部１２は、複数のネットワークが相互接続している場合には、複数のネットワークにまたがる接続装置のＥＭＳサブネットワークを、相互接続しているネットワークに対応させて分割し、分割サブネットワークを作成する。
【００５３】
なお、上記の説明では、分割処理は自動的にＮＭＳ１０が行うものとしたが、オペレータがユーザインタフェース部１３を介して、複数のネットワークにまたがる接続装置を指示し、サブネットワーク管理部１２がこの指示にもとづき、分割処理を行うようにしてもよい。
〔Ｓ４〕サブネットワーク管理部１２は、分割前後のサブネットワークの対応関係が認識できるように、識別子を登録する。
〔Ｓ５〕サブネットワーク管理部１２は、コネクション終端点を、該当する分割サブネットワークに登録する。
〔Ｓ６〕サブネットワーク管理部１２は、トレイル終端点を、使用中にはどちらのネットワークで使用されているかが認識できる識別子を付与して、分割した際のすべての分割サブネットワークに登録する。
〔Ｓ７〕サブネットワーク管理部１２は、分割サブネットワーク間を接続するための仮想的なリンクエンドを作成し、リンクエンド間に仮想的なリンクを作成して、分割サブネットワーク間を接続する。そして、分割サブネットワークを最終的に登録する。
【００５４】
次に分割サブネットワークの分割を解除して、元のＥＭＳサブネットワークを作成する場合の動作について説明する。図１１は分割サブネットワークの分割解除の動作を示すフローチャートである。
〔Ｓ１１〕オペレータは、分割解除する分割サブネットワークを選択する。
〔Ｓ１２〕サブネットワーク管理部１２は、分割サブネットワークに登録されているコネクション終端点をＥＭＳサブネットワークに登録する。
〔Ｓ１３〕サブネットワーク管理部１２は、分割サブネットワークに登録されているトレイル終端点は、ＥＭＳサブネットワークに登録されているか否かを判断する。登録されていればステップＳ１５へ、登録されていなければステップＳ１４へ行く。
〔Ｓ１４〕サブネットワーク管理部１２は、分割サブネットワークに登録されているトレイル終端点をＥＭＳサブネットワークに登録する。
〔Ｓ１５〕サブネットワーク管理部１２は、分割サブネットワークのすべての終端点をＥＭＳサブネットワークに登録したか否かを判断する。登録した場合はステップＳ１６へ、登録していなければステップＳ１２へ戻る。
〔Ｓ１６〕サブネットワーク管理部１２は、分割サブネットワークを接続しているリンク及びリンクエンドを削除する。
〔Ｓ１７〕サブネットワーク管理部１２は、ステップＳ１１で選択された分割サブネットワークを削除する。
【００５５】
このように、分割サブネットワークを解除する場合は、コネクション終端点、トレイル終端点を元のＥＭＳサブネットワークに再登録した後に、分割サブネットワークを接続しているリンク及びリンクエンドを削除し、分割サブネットワークを削除する。ただし、トレイル終端点をＥＭＳサブネットワークに再登録する場合は、ステップＳ１３のように、同一のトレイル終端点が複数登録されないように、すでに登録済みか否かをチェックして登録処理を行う。
【００５６】
次にＥＭＳサブネットワークと分割サブネットワークにおける、サブネットワークコネクションの対応付けについて説明する。図１２はサブネットワークコネクションの対応付けを説明するための図である。
【００５７】
ＥＭＳサブネットワークと分割サブネットワークにおいては、サブネットワーク内の接続を表現するサブネットワークコネクションに対して、分割前後のサブネットワークコネクションの対応関係が認識できるように、識別子を設けておく。
【００５８】
例えば、識別子ＳＮＣ５０−１、ＳＮＣ５０−２を、分割サブネットワークＳＮ５０−１、ＳＮ５０−２のそれぞれのサブネットワークコネクションに付与し、識別子ＳＮＣ５０を、ＥＭＳサブネットワーク内のサブネットワークコネクション（サブネットワークコネクションＳＮＣ５０−１、ＳＮＣ５０−２に対応するサブネットワークコネクション）に付与するようにすれば、分割サブネットワーク内のサブネットワークコネクションとＥＭＳサブネットワーク内のサブネットワークコネクションの対応関係を作ることができる。なお、上記では、説明の簡略化のため、明細書中の符号を識別子としてそのまま用いた。
【００５９】
次にサブネットワークコネクションのマッピング処理について説明する。オペレータは、ネットワークのエンド−エンドのトレイル終端点（ＴＴＰと呼ばれる）を指定して最短経路を算出する場合、オペレータはＴＴＰ間の帯域情報やプロテクション情報をＮＭＳ１０へ入力する。すると、ＮＭＳ１０内のパス設定部１４は、ＴＴＰ間をグラフ化し、入力情報にもとづいて、ＴＴＰ間の最短経路を算出するための経路計算を行う。
【００６０】
このように経路計算された結果を、サブネットワークコネクションとして作成する場合、サブネットワーク管理部１２は、対象とするサブネットワークがＥＭＳサブネットワークならば、通常のサブネットワークコネクション作成処理を行うが、対象とするサブネットワークが分割サブネットワークならば、分割サブネットワークにサブネットワークコネクションを登録した後に、対応するＥＭＳサブネットワークにも、そのサブネットワークコネクションの情報をマッピングする。
【００６１】
図１３はサブネットワークコネクションのマッピング処理を示す図である。分割サブネットワークＳＮ５０−１に対して、仮想終端点Ｐｖ１−１、Ｐｖ１−２間を接続するサブネットワークコネクションＳＮＣ５０−１が作成され、分割サブネットワークＳＮ５０−２に対して、仮想終端点Ｐｖ２−１、Ｐｖ２−２間を接続するサブネットワークコネクションＳＮＣ５０−２が作成されている。
【００６２】
これらのサブネットワークコネクションＳＮＣ５０−１、ＳＮＣ５０−２をＥＭＳサブネットワークＳＮ５０にマッピングする場合は、サブネットワーク管理部１２は、仮想終端点Ｐｖ１−１、Ｐｖ１−２、Ｐｖ２−１、Ｐｖ２−２が実際に使用される終端点（実終端点）か、または分割サブネットワークを作成する際に作成した仮想的な終端点（仮想終端点）か否かを判断し、その後に実終端点のポイントに対してＥＭＳサブネットワークＳＮ５０にマッピングする。
【００６３】
この場合、分割サブネットワークＳＮ５０−１上の仮想終端点Ｐｖ１−１と、分割サブネットワークＳＮ５０−２上の仮想終端点Ｐｖ２−２が実終端点で、分割サブネットワークＳＮ５０−１上の仮想終端点Ｐｖ１−２と、分割サブネットワークＳＮ５０−２上の仮想終端点Ｐｖ２−１が仮想終端点であるとすれば、仮想終端点Ｐｖ１−１、Ｐｖ２−２を実終端点Ｐ１、Ｐ２としてＥＭＳサブネットワークＳＮ５０上に、ＥＭＳサブネットワークコネクションＳＮＣ５０をマッピングする。
【００６４】
図１４はサブネットワークコネクションのマッピング処理の動作を示すフローチャートである。
〔Ｓ２１〕パス設定部１４は、経路計算を行い、サブネットワークコネクション作成要求として、ルーチング結果を、サブネットワーク管理部１２へ送信する。〔Ｓ２２〕サブネットワーク管理部１２は、サブネットワークコネクションを作成する。このとき、対象とするサブネットワークがＥＭＳサブネットワークか、分割サブネットワークかを判断する。ＥＭＳサブネットワークの場合はステップＳ２３へ、分割サブネットワークの場合はステップＳ２４へ行く。
〔Ｓ２３〕サブネットワーク管理部１２は、ＥＭＳサブネットワーク上にサブネットワークコネクションを作成する。
〔Ｓ２４〕サブネットワーク管理部１２は、分割サブネットワーク上にサブネットワークコネクションを作成する。
〔Ｓ２５〕サブネットワーク管理部１２は、分割サブネットワーク上の仮想終端点が実際に使用されている終端点か否かを判断する。実際に使用されている終端点のものを抽出する。
〔Ｓ２６〕サブネットワーク管理部１２は、抽出した仮想終端点を実終端点に置き換える。
〔Ｓ２７〕サブネットワーク管理部１２は、両端の終端点が実終端点となるサブネットワークコネクションを、ＥＭＳサブネットワーク上にマッピングする。
【００６５】
次にサブネットワークコネクションの削除処理について説明する。ＥＭＳサブネットワークＳＮ５０上のサブネットワークコネクションＳＮＣ５０に対して、ＥＭＳサブネットワークＳＮ５０を分割した分割サブネットワークＳＮ５０−１、ＳＮ５０−２上の分割サブネットワークコネクションＳＮＣ５０−１、ＳＮＣ５０−２を削除する場合を考える。
【００６６】
削除処理としては、まず、サブネットワーク管理部１２は、サブネットワークコネクションＳＮＣ５０−１、ＳＮ５０−２それぞれに削除識別子を付与する。そして、削除対象とするサブネットワークコネクションすべてに削除識別子があると判断した場合に、分割サブネットワークコネクションを削除する。このような削除処理を行うことで、複数の分割サブネットワークコネクションを一括して削除することができる。
【００６７】
図１５はサブネットワークコネクションの削除処理の動作を示すフローチャートである。図１３、図１４で上述したような処理で作成されたサブネットワークコネクションを削除する場合の処理を示す。
〔Ｓ３１〕サブネットワーク管理部１２は、オペレータからのサブネットワークコネクションの削除要求を受信する。
〔Ｓ３２〕サブネットワーク管理部１２は、対象とするサブネットワークがＥＭＳサブネットワークか、分割サブネットワークかを判断する。ＥＭＳサブネットワークの場合はステップＳ３３へ、分割サブネットワークの場合はステップＳ３４へ行く。
〔Ｓ３３〕サブネットワーク管理部１２は、ＥＭＳサブネットワーク上のサブネットワークコネクションを削除する。
〔Ｓ３４〕サブネットワーク管理部１２は、分割サブネットワーク上の対応するサブネットワークコネクションに削除識別子を付与する。
〔Ｓ３５〕サブネットワーク管理部１２は、分割サブネットワーク上の対応するすべてのサブネットワークコネクションに削除識別子が付いたら、削除識別子が付いているサブネットワークコネクションを削除する。
【００６８】
次にネットワーク上で障害が発生した場合の警報処理について説明する。図１６は障害が発生しているネットワークを示す図である。ＡＤＭ３１〜３３とＸＣ５１、５２は、リング状に接続してリングネットワークＲ３ａを構成し、ＡＤＭ４１〜４３とＸＣ５１、５２は、リング状に接続してリングネットワークＲ４ａを構成する。また、ＸＣ５１、５２を接続する回線ＬＮ１に障害が発生している。
【００６９】
図１７は分割サブネットワーク上での障害発生箇所を示す図である。ＥＭＳサブネットワークＳＮ３１〜ＳＮ３３はＡＤＭ３１〜３３に対応し、ＥＭＳサブネットワークＳＮ４１〜ＳＮ４３はＡＤＭ４１〜４３に対応する。また、ＸＣ５１、５２それぞれは、リングネットワークＲ３ａ、Ｒ４ａにまたがるため、ＸＣ５１の分割サブネットワークは、分割サブネットワークＳＮ５１−１、ＳＮ５１−２となり、ＸＣ５２の分割サブネットワークは、分割サブネットワークＳＮ５２−１、ＳＮ５２−２となる。そして、分割サブネットワークＳＮ５１−１、ＳＮ５１−２及び分割サブネットワークＳＮ５２−１、ＳＮ５２−２は、リンクコネクションＬＣ１〜ＬＣ４で接続される。
【００７０】
ここで、サブネットワーク管理部１２は、ネットワーク上で障害が発生した場合（ネットワークを接続するＸＣの周辺で障害が発生した場合）、分割サブネットワークを作成した時のリンクコネクションに対して、障害が発生している回線を、該当するリンクコネクションに対応させる。そして、ユーザインタフェース部１３は、障害が発生しているリンクコネクションの警報表示を行う。
【００７１】
この例では、ＸＣ５１、５２の周辺の回線ＬＮ１に障害が発生した場合、この回線ＬＮ１は、分割サブネットワークを作成した時のリンクコネクションＬＣ１に対応する。したがって、ユーザインタフェース部１３は、リンクコネクションＬＣ１の警報表示を行う（例えば、リンクコネクションＬＣ１のラインの色を他ラインと替えたり、点滅させるなど）。
【００７２】
このように、分割サブネットワークを作成する本発明のネットワーク管理では、ネットワークを接続するＸＣの周辺で障害が発生した場合でも、分割サブネットワークを接続するために生成したリンクコネクションに障害箇所を対応させて表示するので、どちらのネットワーク側の障害なのかが、オペレータは明確に判断することが可能になる。
【００７３】
以上説明したように、本発明では、複数ネットワークの一部を構成する装置を表現するサブネットワークを複数に分割することにより、ネットワーク毎にサブネットワークの管理を行うことができる。これにより、保守管理の効率化及び利便性の向上を図ることが可能になる（例えば、経路探索グラフ内のノード数が減少して、ルーチング時間の短縮が可能となる）。
【００７４】
なお、上記の説明では、複数ネットワークの相互接続として、リングネットワークの相互接続を例にしたが、リングネットワーク以外の任意のコンフィギュレーションのネットワークが相互接続された環境に対して、本発明を適用することが可能である。
【００７５】
（付記１）　ネットワークの管理を行うネットワーク管理装置において、
装置情報の中のサブネットワークの情報を収集して、装置サブネットワークとして管理する際に、管理対象とするネットワークの環境が、複数のネットワークが相互接続している場合、複数のネットワークにまたがる接続装置の装置サブネットワークを、相互接続しているネットワークに対応させて分割し、分割サブネットワークを作成して管理するサブネットワーク管理部と、
装置サブネットワークまたは分割サブネットワークの表示制御を行うユーザインタフェース部と、
を有することを特徴とするネットワーク管理装置。
【００７６】
（付記２）　前記サブネットワーク管理部は、装置サブネットワークと分割サブネットワークとの対応関係を認識するための識別子を設けることを特徴とする付記１記載のネットワーク管理装置。
【００７７】
（付記３）　前記サブネットワーク管理部は、コネクタ終端点を、該当する分割サブネットワークに登録し、トレイル終端点に対しては、トレイル終端点を使用しているネットワークを認識可能な識別子を付与した後に、分割した際のすべての分割サブネットワークにトレイル終端点を登録することを特徴とする付記１記載のネットワーク管理装置。
【００７８】
（付記４）　前記サブネットワーク管理部は、仮想的なリンクエンド及びリンクを作成して、分割サブネットワーク間を接続することを特徴とする付記１記載のネットワーク管理装置。
【００７９】
（付記５）　前記サブネットワーク管理部は、外部指示にもとづき、分割サブネットワークの分割を解除する場合は、分割サブネットワークに含まれていたコネクション終端点を装置サブネットワークに登録し、トレイル終端点は重複しないように装置サブネットワークに登録し、分割サブネットワークを接続するリンク及びリンクエンドを削除して、解除処理を行うことを特徴とする付記１記載のネットワーク管理装置。
【００８０】
（付記６）　前記サブネットワーク管理部は、装置サブネットワーク内のコネクションである装置サブネットワークコネクションと、分割サブネットワーク内のコネクションである分割サブネットワークコネクションと、の対応関係が認識可能な識別子を設けることを特徴とする付記１記載のネットワーク管理装置。
【００８１】
（付記７）　前記サブネットワーク管理部は、分割サブネットワークコネクションを作成した場合、仮想終端点の中で、使用されている終端点を検索し、検索した仮想終端点を実終端点に置き換えて、両端の終端点が実終端点となるサブネットワークコネクションを、装置サブネットワーク上にマッピングすることを特徴とする付記１記載のネットワーク管理装置。
【００８２】
（付記８）　前記サブネットワーク管理部は、分割サブネットワークコネクションを削除する場合は、削除フラグを付与し、すべての分割サブネットワークコネクションに削除フラグがある場合に、削除処理を行うことを特徴とする付記１記載のネットワーク管理装置。
【００８３】
（付記９）　前記サブネットワーク管理部は、分割サブネットワークの作成時、または分割サブネットワークコネクションの作成時に、仮想的なコネクション終端点及びリンクコネクションを作成することを特徴とする付記１記載のネットワーク管理装置。
【００８４】
（付記１０）　前記サブネットワーク管理部は、ネットワーク上で障害が発生した場合、分割サブネットワークを作成した時のリンクコネクションに対して、障害が発生している回線を、該当するリンクコネクションに対応させ、前記ユーザインタフェース部は、障害が発生しているリンクコネクションの警報表示を行うことを特徴とする付記１記載のネットワーク管理装置。
【００８５】
（付記１１）　ネットワークの管理を行うネットワークシステムにおいて、
ネットワークを構成するネットワーク装置と、
前記ネットワーク装置の装置情報を管理する管理装置と、
前記装置情報の中のサブネットワークの情報を収集して、装置サブネットワークとして管理する際に、管理対象とするネットワークの環境が、複数のネットワークが相互接続している場合、複数のネットワークにまたがる接続装置の装置サブネットワークを、相互接続しているネットワークに対応させて分割し、分割サブネットワークを作成して管理するサブネットワーク管理部と、装置サブネットワークまたは分割サブネットワークの表示制御を行うユーザインタフェース部と、から構成されるネットワーク管理装置と、
を有することを特徴とするネットワークシステム。
【００８６】
（付記１２）　前記サブネットワーク管理部は、装置サブネットワークと分割サブネットワークとの対応関係を認識するための識別子を設けることを特徴とする付記１１記載のネットワークシステム。
【００８７】
（付記１３）　前記サブネットワーク管理部は、コネクタ終端点を、該当する分割サブネットワークに登録し、トレイル終端点に対しては、トレイル終端点を使用しているネットワークを認識可能な識別子を付与した後に、分割した際のすべての分割サブネットワークにトレイル終端点を登録することを特徴とする付記１１記載のネットワークシステム。
【００８８】
（付記１４）　前記サブネットワーク管理部は、仮想的なリンクエンド及びリンクを作成して、分割サブネットワーク間を接続することを特徴とする付記１１記載のネットワークシステム。
【００８９】
（付記１５）　前記サブネットワーク管理部は、外部指示にもとづき、分割サブネットワークの分割を解除する場合は、分割サブネットワークに含まれていたコネクション終端点を装置サブネットワークに登録し、トレイル終端点は重複しないように装置サブネットワークに登録し、分割サブネットワークを接続するリンク及びリンクエンドを削除して、解除処理を行うことを特徴とする付記１１記載のネットワークシステム。
【００９０】
（付記１６）　前記サブネットワーク管理部は、装置サブネットワーク内のコネクションである装置サブネットワークコネクションと、分割サブネットワーク内のコネクションである分割サブネットワークコネクションと、の対応関係が認識可能な識別子を設けることを特徴とする付記１１記載のネットワークシステム。
【００９１】
（付記１７）　前記サブネットワーク管理部は、分割サブネットワークコネクションを作成した場合、仮想終端点の中で、使用されている終端点を検索し、検索した仮想終端点を実終端点に置き換えて、両端の終端点が実終端点となるサブネットワークコネクションを、装置サブネットワーク上にマッピングすることを特徴とする付記１１記載のネットワークシステム。
【００９２】
（付記１８）　前記サブネットワーク管理部は、分割サブネットワークコネクションを削除する場合は、削除フラグを付与し、すべての分割サブネットワークコネクションに削除フラグがある場合に、削除処理を行うことを特徴とする付記１１記載のネットワークシステム。
【００９３】
（付記１９）　前記サブネットワーク管理部は、分割サブネットワークの作成時、または分割サブネットワークコネクションの作成時に、仮想的なコネクション終端点及びリンクコネクションを作成することを特徴とする付記１１記載のネットワークシステム。
【００９４】
（付記２０）　前記サブネットワーク管理部は、ネットワーク上で障害が発生した場合、分割サブネットワークを作成した時のリンクコネクションに対して、障害が発生している回線を、該当するリンクコネクションに対応させ、前記ユーザインタフェース部は、障害が発生しているリンクコネクションの警報表示を行うことを特徴とする付記１１記載のネットワークシステム。
【００９５】
（付記２１）　ネットワークの管理を行うネットワーク管理方法において
各装置のサブネットワークを受信して、装置サブネットワークとして管理する際に、複数のネットワークが相互接続している場合には、複数のネットワークにまたがる接続装置の装置サブネットワークを、相互接続しているネットワークに対応させて分割して、分割サブネットワークを作成し、
分割前後の装置サブネットワークの対応関係が認識できるように、識別子を登録し、
コネクション終端点を、該当する分割サブネットワークに登録し、
トレイル終端点を、使用しているネットワークを認識可能な識別子を付与して、分割した際のすべての分割サブネットワークに登録し、
分割サブネットワーク間を接続するための仮想的なリンクエンド及びリンクエンド間に仮想的なリンクを作成して、分割サブネットワーク間を接続し、
分割サブネットワークを登録して管理することを特徴とするネットワーク管理方法。
【００９６】
【発明の効果】
以上説明したように、本発明のネットワーク管理装置は、複数のネットワークにまたがる接続装置の装置サブネットワークを、相互接続しているネットワークに対応させて分割し、分割サブネットワークを作成して管理する構成とした。これにより、ネットワーク同士が互いに接続している環境においても、複数ネットワークの一部を構成する接続装置のサブネットワークを分割して、ネットワーク毎にサブネットワークの管理を行うことができるので、保守管理の効率化及び利便性の向上を図ることが可能になる。
【図面の簡単な説明】
【図１】本発明のネットワーク管理装置の原理図である。
【図２】ネットワークシステムの構成を示す図である。
【図３】装置の物理配置を示す図である。
【図４】ＥＭＳサブネットワークを示す図である。
【図５】分割サブネットワークを示す図である。
【図６】ＸＣの通信ポートを示す図である。
【図７】トレイル終端点を示す図である。
【図８】仮想的なリンクエンド及びリンクを示す図である。
【図９】分割サブネットワークの構成を示す図である。
【図１０】分割サブネットワークの作成処理を示すフローチャートである。
【図１１】分割サブネットワークの分割解除の動作を示すフローチャートである。
【図１２】サブネットワークコネクションの対応付けを説明するための図である。
【図１３】サブネットワークコネクションのマッピング処理を示す図である。
【図１４】サブネットワークコネクションのマッピング処理の動作を示すフローチャートである。
【図１５】サブネットワークコネクションの削除処理の動作を示すフローチャートである。
【図１６】障害が発生しているネットワークを示す図である。
【図１７】分割サブネットワーク上での障害発生箇所を示す図である。
【図１８】ネットワークシステムの構成を示す図である。
【図１９】ネットワークシステムの構成を示す図である。
【符号の説明】
１０　ネットワーク管理装置
１１　通信制御部
１２　サブネットワーク管理部
１３　ユーザインタフェース部
１４　パス設定部
２０　ＥＭＳ
５０　接続装置
Ｎ０、Ｎ１、Ｎ２　ネットワーク
ＳＮ５０　ＥＭＳサブネットワーク
ＳＮ５０−１、ＳＮ５０−２　分割サブネットワーク
【図１】
2004048247.tif 000003
【図２】
2004048247.tif 000004
【図３】
2004048247.tif 000005
【図４】
2004048247.tif 000006
【図５】
2004048247.tif 000007
【図６】
2004048247.tif 000008
【図７】
2004048247.tif 000009
【図８】
2004048247.tif 000010
【図９】
2004048247.tif 000011
【図１０】
2004048247.tif 000012
【図１１】
2004048247.tif 000013
【図１２】
2004048247.tif 000014
【図１３】
2004048247.tif 000015
【図１４】
2004048247.tif 000016
【図１５】
2004048247.tif 000017
【図１６】
2004048247.tif 000018
【図１７】
2004048247.tif 000019
【図１８】
2004048247.tif 000020
【図１９】
2004048247.tif 000021